(57)【特許請求の範囲】
【請求項１】
左右両側に凸部（２ｄ）（２ｄ）を下方突出状に設けた横断面門型の樹脂製の押え基板（２）を備え、
さらに、袋体（２０）の口部（１０）に設けたファスナー（２１）に割り込ませるための嵌入凸部（３ｋ）と、上記ファスナー（２１）を閉鎖するための狭窄部（３ｊ）と、左右両側に設けられた側板（４）（４）と、該側板（４）を天井部に対して曲げ可能とするための連結部（５）と、を有する樹脂製のスライド基板（３）を備え、
上記押え基板（２）は、上記凸部（２ｄ）を左右方向に貫通した上方開口状の縦溝（２ａ）を有し、
上記スライド基板（３）は、左右両側に、左右外方突出状の突部（３ｍ）を有し、
上記スライド基板（３）の上から上記押え基板（２）を被せると共に上記縦溝（２ａ）に上記突部（３ｍ）を嵌めて、かつ、上記押え基板（２）の上記凸部（２ｄ）と上記スライド基板（３）の上記側板（４）とを連結して、上記押え基板（２）と上記スライド基板（３）を組み立てた状態において、上記押え基板（２）と上記スライド基板（３）が一体として横断面門型を保つことを特徴とするファスナー用スライダ。
【発明の詳細な説明】
【技術分野】
【０００１】
本発明は、内部に豆類、砂糖や塩或いは薬品や肥料等の粒状物などを入れ、ファスナーを設け、開閉が容易なファスナー用スライダに関する。
【背景技術】
【０００２】
通常、豆類や塩等の粒状・粉類或いは薬品類を収容した袋体に開封後にこぼれないようにゴムやひも等で開口部を封をして残りを保存する。そして図１０（Ａ）に示すように袋体１５の開口部ＥにファスナーＦが設けられ，袋体１５の開口部Ｅ近くに図１０（Ｂ）に示すように、一方は嵌合雄部７ａと，他方には嵌合雌部７ｂとを設け、これらを嵌合させるファスナーFが形成されている。スライダ８の嵌合突起８ａでファスナーFを開き、図１０（Ｃ）に示すように狭窄部８ｃでファスナーFを閉じるようになっている。こうしてスライダ８を袋体１５のファスナーFに嵌め入れ、一方にスライドすると開口部Ｅが閉鎖され、逆方向にスライドすると開口される。
【０００３】
このような開閉用のスライダとして、図１１が用いられることが知られている（特許文献１）。或いは図１２（Ａ）、（Ｂ）に示すように、二つに分割したタイプでスライダ１を嵌めて組み立てて、ファスナーFに嵌め込むスライダ１もある。このスライダ１は２と３よりなり、Ｐ方向とＱ方向に合わせて組み立てる（特許文献２）。また、図１３（Ａ）（Ｂ）に示すように、固定基板１０の下側へ曲がる側壁２０を連結部２３を介して両側に設けると共に内側前部に割込部材１１を設けたスライダ３０が知られている（特許文献３）。
【先行技術文献】
【特許文献】
【０００４】
特許文献１      １．図１１
特許文献２      ２．特開２００９−２９１４２９
特許文献３      ３．実用新案登録第３１６７６４９号
【発明の概要】
【発明が解決しようとする課題】
【０００５】
図１１に示すような特許文献１のスライダは、製作時の金型の製作が難しい。
また、図１２に示すような特許文献２に示すようなスライダ１は分轄し結合するためかなりの精度を要する。また図１３（Ａ）や（Ｂ）は取り付けた状態が不安定という問題がある。
本発明は金型の製作が容易なスライダであって一方のスライダの上に他方のスライダを重ね、ファスナーに安定的なスライダを形成して取付けることの出来るファスナー用スライダを提供することを目的としている。
【課題を解決するための手段】
【０００６】
上記目的を達成するために、本発明のファスナー用スライダは、左右両側に凸部を下方突出状に設けた横断面門型の樹脂製の押え基板を備え、さらに、袋体の口部に設けたファスナーに割り込ませるための嵌入凸部と、上記ファスナーを閉鎖するための狭窄部と、左右両側に設けられた側板と、該側板を天井部に対して曲げ可能とするための連結部と、を有する樹脂製のスライド基板を備え、上記押え基板は、上記凸部を左右方向に貫通した上方開口状の縦溝を有し、上記スライド基板は、左右両側に、左右外方突出状の突部を有し、上記スライド基板の上から上記押え基板を被せると共に上記縦溝に上記突部を嵌めて、かつ、上記押え基板の上記凸部と上記スライド基板の上記側板とを連結して、上記押え基板と上記スライド基板を組み立てた状態において、上記押え基板と上記スライド基板が一体として横断面門型を保つものである。
【発明の効果】
【０００７】
このファスナー用スライダは、ファスナーを取り付けた袋体の開口部に嵌め込みこの開口部を開閉することが可能となる。このファスナー用スライダは押え基板をスライド基板に固定することが出来るので、安易に袋体に設けたファスナーから外れることがない。また、嵌合凸部はファスナーに途中から入れることができる。
【０００８】
本発明のファスナー用スライダは、押え基板もスライド基板も個々に分轄する箇所はなく、金型も精度良く製作することが出来る。また、製品の材料として少し弾力性のある樹脂材を用いれば、押え基板とスライド基板の組み立ては、連結部を曲げるだけで比較的容易であり側壁が戻ることはない。
【０００９】
本発明のファスナー用スライダは、或る袋体に使用してその袋体を使用し終えると他の袋体にも使用することができる。従って無駄になることは無いので省資源にも役立つ。更に、若干袋体のサイズが異なっていても使用可能であるから、このようなスライダは、使用する面からも種類を減らすことができる。
【図面の簡単な説明】
【００１０】
【図１】図１は本発明のファスナー用スライダをファスナーに使用する袋体の正面図である。
【図２】図２（Ａ）は本発明のファスナー用スライダの平面図であり、図２（Ｂ）は側面図であり、図２（Ｃ）は本発明のファスナー用スライダの底面図である。
【図３】図３（Ａ）は本発明のファスナー用スライダの正面図であり、図３（Ｂ）は本発明のファスナー用スライダの背面図である。
【図４】図４（Ａ）は図２（Ｂ）のＡ−Ａ矢視断面図であり、  図４（Ｂ）は図２（Ｂ）のＢ−Ｂ矢視断面図であり、図４（Ｃ）は図２（Ａ）のＣ―Ｃ矢視断面図である。
【図５】図５は本発明のファスナー用スライダの押え基板とスライド基板とを組み立てる際の構成を示す斜視図である。
【図６】図６（Ａ）は本発明のファスナー用スライダを組み立てる途中の斜視図であり、図６（Ｂ）は側面図であり、図６（Ｃ）は図６（Ｂ）のＡ−Ａ矢視断面図である。
【図７】図７は本発明のファスナー用スライダを組み立てた前方から見た全体斜視図である。
【図８】図８は本発明のスライダを組み立てた後方から見た全体斜視図である。
【図９】図９はこの発明のスライダを組み立て、袋体に取付けて前方向から見た斜視図である。
【図１０】図１０（Ａ）、（Ｂ）、（Ｃ）は従来の袋体の開口部に設けたファスナーに取付けるスライダの嵌合と分離を示す断面図であって、（Ａ）はファスナーを閉鎖した状態であり、（Ｂ）は閉鎖したファスナーにスライダの突起を割り込ませた状態であり、（Ｃ）はスライダでファスナーを閉じた状態である。
【図１１】図１１（Ａ）は従来のスライダを袋体に取付けた状態の斜視図であり、図１１（Ｂ）は従来のスライダの斜視図である。
【図１２】図１２（Ａ）は従来の二つ割りのスライダを袋体に取付けた状態の斜視図であり、図１２（Ｂ）は従来の二つ割りのスライダの斜視図である。
【図１３】図１３（Ａ）は従来のスライダの構成図であり、図１３（Ｂ）は従来のスライダの斜視図である。
【発明を実施するための形態】
【００１１】
以下、本発明の具体的実施例について図面を参照して説明する。
なお、従来技術で説明した符号と本願発明で説明した符号とは同じ符号でも異なる構成の、意味で使用している。
図１は本発明のファスナー用スライダをファスナーに使用する袋体の正面図である。
図２（Ａ）は本願発明のファスナー用スライダの平面図であり、図２（Ｂ）は側面図であり、図２（Ｃ）は本願発明のファスナー用スライダの底面図である。図３（Ａ）は正面図であり、図３（Ｂ）は背面図である。
図４(Ａ) は図２（Ｂ)のＡ−Ａ矢視断面図，図４（Ｂ）は図２（Ｂ）のＢ−Ｂ矢視断面図、図４（Ｃ）は図２（Ａ）のＣ−Ｃ矢視断面である。
【００１２】
これらの前記図２（Ａ）〜図４（Ｃ）において、１は本発明のファスナー用スライダであり、２は押え基板であり、３はスライド基板である。このスライド基板３の側板３ａ、３ａには袋体２０（図１参照）のファスナー２１（図９参照）に嵌まる凸部２ｄが下方向に突設され、スライド基板３にはこの凸部２ｄが嵌まる凹部３ｄが設けられている。押え基板２やスライド基板３は、樹脂材例えばａｂｓ樹脂（アクリルニトリル・ブタジエン・スチレン共重合体）で作成される。また、２ａ、２ａ、２ａは押え基板２の凸部２ｄに設けられた溝部（縦溝）であり、３本の内の中央部の縦溝２ａが凸部２ｄを貫通して設けられる。３ａは前記スライド基板３の側板であり、連結部材（連結部）５（図５参照）によって縦に曲げて側板４が形成される。こうして押え基板２やスライド基板３は左右側面を連結される。該連結部材５は多少繰り返しても破断しない。更に、側板４の先端部には係止部６，６が形成されている。図２（Ｃ）の３ｋは袋体２０の閉じている口部（開口部）１０に割り込ませるための嵌入凸部である。そして上記構成のスライド基板３の上から押え基板２を被せて口部１０に割り込ませるために組み立てる。なお、これ等の部品は樹脂金型で樹脂成型加工して作成される。３ｅはファスナー用スライダ１を停止させるストッパである。
【００１３】
本発明のファスナー用スライダ１を組み立てた上記図（図２（Ａ）〜図３（Ｃ））を断面図で示して説明すると、図５は押え基板２をスライド基板３に嵌め入れる際の斜視図である（後述）。図４（Ａ）は、図２（Ｂ）のＡ―Ａ矢視断面図であり、図４（Ｂ）は図２（Ｂ）のＢ―Ｂ矢視断面図であり、図４（Ｃ）は図２（Ａ）のＣ―Ｃ矢視断面図である。
それぞれの押え基板２及びスライド基板３は、単独で成形加工されて組み立てる。即ち、本発明のファスナー用スライダ１は押え基板２とスライド基板３とで構成され、組み立てる場合、押え基板２の凸部２ｄがスライド基板３の凹部３ｄに嵌まり、一体となる。
【００１４】
図５はこの発明のファスナー用スライダ１を押え基板２とスライド基板３で組み立てる途中の斜視図である。スライド基板３の側板４，４は上から押え基板２で押えると連結部材５で自然に曲がるようにつながっている。この側板４の端部には、係止部６が形成されている。この係止部６によってファスナー２１にスライダ１が安定して止められる。
【００１５】
図５に示すように、押え基板２とスライド基板３とでファスナー用スライダ１を組み立てる場合、この斜視図に示すように、押え基板２には三角形の凹部２ｅが設けられ、スライド基板３にはこの凹部２ｅに嵌合する三角形の嵌入凸部３ｇが設けられる。この場合三角形の頂点方向（Ｘ方向）は開口部１０に設けたファスナー２１（図９参照）を閉鎖する方向であり、逆方向（Ｙ方向）はファスナー２１を開放する方向である。
上記するように図５の斜視図において、押え基板２の左右両側には凸部２ｄ、２ｄが設けられ、スライド基板３の左右に設けられた凹部３ｄ、３ｄに嵌められる。また、前記押え基板２に設けた凸部２ｄには縦溝穴（縦溝）２ａを設ける。この溝穴２ａは三本設けてあるが一本でも良い、他の二本はデザイン上の問題と本発明のファスナー用スライダ１に手（指）がかかり易くするためである。なお、スライド基板３には凹部３ｄに突起（突部）３ｍが設けてあり、押え基板２が決まった位置に来るようにしてある。突起３ｈ、３ｉも同様である。なお、３本の縦溝穴２ａが形成されている（本数は特に限定されない）。
【００１６】
また、スライド基板３の両側に形成された凹部３ｄに押え基板２に形成された凸部２ｄを嵌め入れて組み立てる。これらの三角形の凸部３ｇと凹部２ｅの頂部を嵌合させる。Ｘ方向はファスナー２１の開口部１０を閉じる方向であり、Ｙ方向は開口方向である。そしてこのスライド基板３の片側に嵌入凸部３ｋが設けられる。また、ファスナー用スライダ１の一方には嵌入凸部３ｋが設けられ、他方には片側に袋体２０のファスナー２１を閉鎖する（閉じる）狭窄部３ｊが形成されている。
【００１７】
図６（Ａ）は本発明のファスナー用スライダを組み立てる途中の斜視図であり、図６（Ｂ）は側面図であり、図６（Ｃ）は図６（Ｂ）のＡ−Ａ矢視断面図である。
本発明のファスナー用スライダ１は樹脂成形加工した後スライド基板３に押え基板２を乗せて組み立てるが、スライド基板３は側板３ａ、３ａは縦に曲げ、上から押え基板２を被せるように乗せる。図６（Ｂ）は組み立て途中の側面図であり、図６（Ｃ）は組み立て途中の断面図である。この時押え基板２の三角形の凹部２ｅとスライド基板３の三角形の凸部３ｇとが嵌合するように組み立てる。
【００１８】
図７は本発明のファスナー用スライダ１を組み立てた前方から見た全体斜視図である。該ファスナー用スライダ１を組み立てるとファスナー２１に割り込むこの嵌入凸部３ｋが下方に飛び出して形成される。この場合、三角形の凹部２ｅとスライド基板３の三角形の凸部３ｇとが嵌合した場合三角形の頂点方向へ移動させるとファスナー２１は閉鎖され、逆方向へ移動するとファスナー２１は開放される。
【００１９】
また、図８は本発明のファスナー用スライダ１を後方から見た斜視図である。押え基板２とスライド基板３を組み立てた時には、ファスナー２１を通す後方、つまり本発明の後方は狭窄部３ｊが形成される。従ってファスナー２１を通すと狭い場所を通すのでファスナー２１は閉鎖される。また、上記したように、側板（凸部）２ｄを貫通する長穴状の縦溝２ａが、設けられ、スライド基板３には、押え基板２の凸部２ｄを貫通する長穴状の縦溝２ａに嵌る突起（突部）３ｍが設けられており決まった位置で組み立てられる。
【００２０】
この発明のファスナー用スライダ１は以上の構成からなる。本発明のファスナー用スライダ１の構成は図１乃至８に示すような部品で構成されている。次にその作用について説明する。
図９は、袋体２０のファスナー２１に本願発明のファスナー用スライダ１を取り付けた状態の斜視図である。
袋体２０にはファスナー２１が設けられている。このファスナー２１は手で押して開口部１０を開閉することもできるが、本発明のファスナー用スライダ１を用いる方が便利である。本願では袋体２０が閉じているとき、該袋体２０に設けたファスナー２１にスライド基板３に設けた嵌入凸部３ｋを嵌め入れる。そしてX方向にこのファスナー用スライダ１をスライドさせると、開口部１０が閉じ、Y方向にスライドさせると開口部１０が開く。このファスナー用スライダ１の移動によりファスナー２１が開閉されるが袋体２０の端部に来るとストッパ３ｅが袋体２０に当接しファスナー用スライダ１は停止する。
嵌入凸部３ｋを袋体２０のファスナー２１に割り込ませる。またこのファスナー用スライダ１は押え基板２があるためスライド基板３は安定する。また、スライド基板３の側板４の先端部には、係止部６が設けられているのでファスナー２１にしっかりと固定される。
また、ファスナー用スライダ１が、樹脂で作成され、スライド方向に両側に凸部２ｄを設けた押え基板２と、
スライド方向両側の本体に曲げ可能な側板４を形成し、下方向の一方に袋体２０のファスナー２１に嵌まる嵌入凸部３ｋを突設し、他方向に袋体２０のファスナー２１を閉鎖する狭窄部３ｊを形成し、スライド方向両側に凹部３ｄを設けたスライド基板３と、
スライド基板３の天井部と側板４とを柔軟に縦方向に曲げる連結部材５と、
より成り、前記押え基板２の凸部２ｄをスライド基板の凹部３ｄに嵌まるように組み立ててなる。
また、ファスナー用スライダ１が、押え基板２の凸部２ｄには単一又は複数の縦溝２ａが貫通して設けられ、スライド基板３の凹部３ｄには中心部に該縦溝２ａに嵌まる突部３ｍが設けられ、スライド基板３の側板４の先端部（先端）には係止部６が形成されている。
また、ファスナー用スライダ１が、スライド基板３には、スライダを停止させるストッパ３ｅを設けてある。
また、ファスナー用スライダ１が、スライド方向両側の本体に曲げ可能な側板４を形成し、該側板４の端部にはファスナー２１を保持するように係止部６を形成する。
また、ファスナー用スライダ１が、押え基板２には、頂点方向が開口部１０に設けたファスナー２１を閉鎖する方向に三角形の凹部２ｅが形成され、スライド基板３の狭窄部３ｊにストッパ３ｅが設けられてなる。
【産業上の利用可能性】
【００２１】
本願発明のファスナー用スライダ１は樹脂金型の製作が比較的容易であり、量産しやすい。また、このファスナー用スライダを使用・製作するときの袋体の安定度が優れている。このためファスナー用スライダは安価で量産にも適している。
【符号の説明】
【００２２】
１      ファスナー用スライダ
２      押え基板
２ａ      縦溝穴（縦溝）
２ｄ    凸部
２ｅ    三角形の凹部
３      スライド基板
３ａ    側板
３ｄ    凹部
３ｅ    ストッパ
３ｇ    三角形の嵌入凸部
３ｊ    狭窄部
３ｋ    嵌入凸部
３ｈ    突起
３ｍ    突起（突部）
３ｉ    突起
４    側板
５    連結部材（連結部）
６    係止部
１０  袋体の口部（開口部）
２０  袋体
２１  ファスナー
【図１】
0006002107.tif 000002
【図２】
0006002107.tif 000003
【図３】
0006002107.tif 000004
【図４】
0006002107.tif 000005
【図５】
0006002107.tif 000006
【図６】
0006002107.tif 000007
【図７】
0006002107.tif 000008
【図８】
0006002107.tif 000009
【図９】
0006002107.tif 000010
【図１０】
0006002107.tif 000011
【図１１】
0006002107.tif 000012
【図１２】
0006002107.tif 000013
【図１３】
0006002107.tif 000014